(57)【要約】【課題】  断熱性が向上したカーテンウォールの提供。【解決手段】  方立１と外側ガラス保持部材２と外側ガラス３と内側ガラス４とを備え、方立１は、室外側に内側ガラス保持部５を有し、内側ガラス保持部５に内側ガラス４が保持してあるか又は内側ガラス保持部５に内側ガラス４を有する開閉障子６が保持してあり、外側ガラス保持部材２は、方立１の室外側に取付けてあり、外側ガラス保持部材２に外側ガラス３が保持してある。【選択図】      図１
2020063607.tif 000002
【特許請求の範囲】
【請求項１】
方立と外側ガラス保持部材と外側ガラスと内側ガラスとを備え、方立は、室外側に内側ガラス保持部を有し、内側ガラス保持部に内側ガラスが保持してあるか又は内側ガラス保持部に内側ガラスを有する開閉障子が保持してあり、外側ガラス保持部材は、方立の室外側に取付けてあり、外側ガラス保持部材に外側ガラスが保持してあることを特徴とするカーテンウォール。
【請求項２】
方立と外側ガラス保持部材と内側ガラス保持部材と外側ガラスと内側ガラスとを備え、内側ガラス保持部材は、方立の室外側に取付けてあり、内側ガラス保持部材に内側ガラスが保持してあるか又は内側ガラス保持部材に内側ガラスを有する開閉障子が保持してあり、外側ガラス保持部材は、内側ガラス保持部材の室外側に取付けてあり、外側ガラス保持部材に外側ガラスが保持してあることを特徴とするカーテンウォール。
【発明の詳細な説明】
【技術分野】
【０００１】
本発明は、カーテンウォールに関する。
【背景技術】
【０００２】
従来より、上下の床の間に方立を架け渡し、方立にガラスを嵌め込んだカーテンウォールが知られている。かかる従来のカーテンウォールは、ガラスを複層ガラスにすることで、断熱性の向上をしている（例えば、特許文献１参照）が、より一層の断熱性の向上が求められた。
【先行技術文献】
【特許文献】
【０００３】
【特許文献１】特開２０１７−２５５９１号公報
【発明の概要】
【発明が解決しようとする課題】
【０００４】
本発明は以上に述べた実情に鑑み、断熱性が向上したカーテンウォールの提供を目的とする。
【課題を解決するための手段】
【０００５】
上記の課題を達成するために請求項１記載の発明によるカーテンウォールは、方立と外側ガラス保持部材と外側ガラスと内側ガラスとを備え、方立は、室外側に内側ガラス保持部を有し、内側ガラス保持部に内側ガラスが保持してあるか又は内側ガラス保持部に内側ガラスを有する開閉障子が保持してあり、外側ガラス保持部材は、方立の室外側に取付けてあり、外側ガラス保持部材に外側ガラスが保持してあることを特徴とする。
【０００６】
請求項２記載の発明によるカーテンウォールは、方立と外側ガラス保持部材と内側ガラス保持部材と外側ガラスと内側ガラスとを備え、内側ガラス保持部材は、方立の室外側に取付けてあり、内側ガラス保持部材に内側ガラスが保持してあるか又は内側ガラス保持部材に内側ガラスを有する開閉障子が保持してあり、外側ガラス保持部材は、内側ガラス保持部材の室外側に取付けてあり、外側ガラス保持部材に外側ガラスが保持してあることを特徴とする。
【発明の効果】
【０００７】
請求項１記載の発明によるカーテンウォールは、外側ガラスと内側ガラスの二重構造になっているため、断熱性が向上する。内側ガラスが方立の室外側に設けた内側ガラス保持部に位置するため、室内に圧迫感を与えない。
【０００８】
請求項２記載の発明によるカーテンウォールは、外側ガラスと内側ガラスの二重構造になっているため、断熱性が向上する。内側ガラスが方立より室外側に位置するため、室内に圧迫感を与えない。
【図面の簡単な説明】
【０００９】
【図１】図３のＡ−Ａ断面図である。
【図２】図３のＢ−Ｂ断面図である。
【図３】（ａ）は本発明に係るカーテンウォールの第１実施形態を示す室外側正面図であり、（ｂ）は同カーテンウォールの縦断面図である。
【図４】本発明のカーテンウォールの第２実施形態を示す横断面図である。
【図５】本発明のカーテンウォールの第２実施形態を示す縦断面図である。
【図６】本発明のカーテンウォールの第３実施形態を示す横断面図である。
【図７】本発明のカーテンウォールの第３実施形態を示す縦断面図である。
【図８】本発明のカーテンウォールの参考例（内側ガラス保持部材を省いた状態）を示す横断面図である。
【図９】本発明のカーテンウォールの参考例（内側ガラス保持部材を省いた状態）を示す縦断面図である。
【発明を実施するための形態】
【００１０】
以下、本発明の実施の形態を図面に基づいて説明する。図１〜３は、本発明に係るカーテンウォールの第１実施形態を示している。本カーテンウォールは、ビルの外壁を成すものであって、図３に示すように、建物の躯体８に固定して方立１，１，…が左右方向に一定の間隔をあけて設けてあり、方立１，１，…間に無目９，１０，…が架設してあり、方立１，１，…と無目９，１０，…とで区画される開口部のうち、各階の床１１から天井ま１２での範囲のビジョン部１３にあたる開口部には、外側ガラス３と内側ガラス４が室内外方向に間隔をあけて取付けてあり、天井１２から上階の床１１までの範囲のスパンドレル部１４にあたる開口部には、ガラス（複層ガラス）１５と耐火ボード１６が室内外方向に間隔をあけて取付けてある。
【００１１】
方立１は、アルミ合金の押出形材よりなり、図１に示すように、矩形中空断面の本体部１７と、本体部１７の室外側に設けた内側ガラス保持部５を一体に有している。内側ガラス保持部５は、左右両側が開口した内側ガラス保持溝１８，１８を有し、内側ガラス保持溝１８，１８に内側ガラス４の側端部がビード１９，２０を介して保持してある。
【００１２】
方立１の室外側には、外側ガラス保持部材５が取付けてある。外側ガラス保持部材５は、内側ガラス４と外側ガラス３の間に位置するベース部材２１と、ベース部材２１に係合取付けした略Ｔ字形断面の押縁２２とからなり、ベース部材２１の室外側面と押縁２２の見付壁２３との間に、複層ガラスよりなる外側ガラス３の側端部が保持してある。ベース部材２１は、室内側面に形成した複数の爪片２４ａ，２４ｂを方立１の室外側面に形成した係止部２５ａ，２５ｂに係止した上で、ねじ２６で固定してある。方立１とベース部材２１との当接面には、ガスケット２７が設けてある。ベース部材２１の室外側面には、外側ガラス３の室内側面を受けるシール受け材２８を取付け、シール受け材２８の外周側にシール２９を充填してある。
押縁２２は、見込壁３０の室内外方向中間部に樹脂製の断熱ブリッジ材３１を有しており、これにより外側ガラス保持部材２は、室内外の伝熱を遮断した断熱構造としてある。さらに、断熱ブリッジ材３１より室内側の形材３３の断熱ブリッジ材３１の付け根付近には、ゴム又は軟質樹脂よりなるヒレ片３２が室外側に向けて湾曲した状態で取付けてあり、ヒレ片３２の先端部は外側ガラス３の小口面に当接している。このヒレ片３２により、室外の冷気が室内側のアルミ部（形材３３、ベース部材２１）に当たるのを防ぎ、断熱性を一層向上している。押縁２２の見付壁２３の先端部には、外側ガラス３の室外側面を受けるビード３４が取付けてある。
【００１３】
ビジョン部１３の上側及び下側に位置する無目９，１０は、図２に示すように、室内側部３５を方立１にブラケット３６で取付けてあり、室外側部に上向きに開口したガラス保持溝３７と下向きに開口したガラス保持溝３８が形成してあり、各ガラス保持溝３７，３８にビジョン部１３の外側ガラス３の上下端部及びスパンドレル部１４のガラス１５の上下端部を保持してある。上向きに開口したガラス保持溝３７には、溝に入った結露水を室外に排水するための排水経路５３が設けてある。
上下のガラス保持溝３７，３８の間の見込壁３９には、室内外方向中間部に樹脂製の断熱ブリッジ材４０を有しており、これにより無目９，１０は断熱構造としてある。さらに、スパンドレル部１４のガラス１５の室内側に位置するガスケット４１と、ビジョン部１３の外側ガラス３の室内側のシール２９を受けるシール受け材４２とにヒレ片４３がそれぞれ設けてあり、各ヒレ片４３の先端部が断熱ブリッジ材４０の上面と下面にそれぞれ当接している。これらのヒレ片４３により、室外の冷気が断熱ブリッジ材４０より室内側のアルミ部に当たるのを防ぎ、断熱性を一層向上している。
また、上下のガラス保持溝３７，３８の間の見込壁３９上には、アルミ製のピース状のガラスライナー受け部材４４が設けてあり、ガラスライナー受け部材４４上にガラス３，１５を受けるガラスライナー４５を設けている。
ビジョン部１３上側の無目９の室内側部３５の下面と、ビジョン部１３下側の無目１０の室内側部３５の上面とには、内側ガラス保持部材４６ａ，４６ｂが取付けてあり、各内側ガラス保持部材３６ａ，４６ｂに内側ガラス４の上端部及び下端部が保持してある。
【００１４】
次に、本カーテンウォールの施工手順を説明する。まず、躯体８に方立１，１，…を取付ける。次に、方立１の室外側に外側ガラス保持部材２のベース部材２１を取付けるとともに、方立１，１，…間に無目９，１０を架設する。なお、方立１を躯体８に取付ける前に、方立１に予めベース部材２１を取付けてあってもよい。次に、無目９，１０に内側ガラス保持部材４６ａ，４６ｂを取付ける。次に、ビジョン部１３の外側ガラス３とスパンドレル部１４のガラス１５を取付ける。その後、ビジョン部１３の内側ガラス４を取付ける。
【００１５】
図４，５は、本発明のカーテンウォールの第２実施形態を示している。本実施形態は、方立１の室外側に内側ガラス保持部５を有し、内側ガラス保持部５に、内側ガラス４を上框４７と下框４８と左右の縦框４９ａ，４９ｂとで框組みした開閉障子６が保持してある。開閉障子６は、片方の方立１の側面に上部と下部が支持金具５０で取付けてあり、支持金具５０の軸５１を支点に室内側に回動して開くようになっている（図４中の矢印５４参照）。そうして開閉障子６を室内側に開くことで、外側ガラス３及び内側ガラス４の掃除が行える。
【００１６】
以上に述べたように、第１及び第２実施形態のカーテンウォールは、ビジョン部１３のガラスが外側ガラス３と内側ガラス４の二重構造になっているため、断熱性が向上する。内側ガラス４が方立１の室外側に設けた内側ガラス保持部５に位置するため、室内に圧迫感を与えない。
さらに、外側ガラス３は複層ガラスであり、外側ガラス保持部材２は断熱構造を有しているので、断熱性能がより一層向上する。
【００１７】
図６，７は、本発明のカーテンウォールの第３実施形態を示している。本実施形態のカーテンウォールは、図６に示すように、方立１が矩形断面の中空状となっており、該方立１の室外側面に内側ガラス保持部材７が取付けてあり、内側ガラス保持部材７の室外側面に外側ガラス保持部材２が取付けてある。そして、内側ガラス保持部材７に内側ガラス４が保持してあり、外側ガラス保持部材２に外側ガラス３が保持してある。
内側ガラス保持部材７は、室内側面に複数の爪片２４ａ，２４ｂと、爪片２４ａ，２４ｂの間に設けたねじ止め部５２を有し、複数の爪片２４ａ，２４ｂを方立１の室外側面に設けた係止部２５ａ，２５ｂに係止すると共に、ねじ止め部５２を方立１にねじ２６で固定して取付けてある。
外側ガラス保持部材２は、内側ガラス保持部材７と同様に、室内側面に複数の爪片２４ａ，２４ｂと、爪片２４ａ，２４ｂの間に設けたねじ止め部５２を有し、複数の爪片２４ａ，２４ｂを内側ガラス保持部材７の室外側面に設けた係止部２５ａ，２５ｂに係止すると共に、ねじ止め部５２を内側ガラス保持部材７にねじ２６で固定して取付けてある。内側ガラス保持部材７と外側ガラス保持部材２の爪片２４ａ，２４ｂ、係止部２５ａ，２５ｂ及びねじ止め部５２は、同じ位置・大きさで設けてあり、したがって内側ガラス保持部材７の方立１との連結部の構造と、外側ガラス保持部材２の内側ガラス保持部材７との連結部の構造は、共通している。
【００１８】
本実施形態のカーテンウォールの施工手順を説明する。まず、躯体８に方立１，１，…を取付ける。次に、方立１，１，…の室外側に内側ガラス保持部材７を取付け、内側ガラス保持部材７の室外側に外側ガラス保持部材２のベース部材２１を取付ける。なお、方立１を躯体８に取付ける前に、方立１に予め内側ガラス保持部材７とベース部材２１を取付けてあってもよい。次に、方立１，１，…間に無目９，１０を架設する。次に、無目９，１０に内側ガラス保持部材４６ａ，４６ｂを取付ける。次に、ビジョン部１３の外側ガラス３とスパンドレル部１４のガラス１５を取付ける。その後、ビジョン部１３の内側ガラス４を取付ける。
【００１９】
以上に述べたように、第３実施形態のカーテンウォールは、ビジョン部１３のガラスが外側ガラス３と内側ガラス４の二重構造になっているため、断熱性が向上する。内側ガラス４が方立１より室外側に位置するため、室内に圧迫感を与えない。
さらに、外側ガラス３は複層ガラスであり、外側ガラス保持部材２は断熱構造を有しているので、断熱性能がより一層向上する。
また、内側ガラス保持部材７の方立１との連結部の構造と、外側ガラス保持部材２の内側ガラス保持部材７との連結部の構造とが共通しているため、部材の兼用化によりコストを抑えながら、ガラスが二重構造でないカーテンウォールにも対応できる。
【００２０】
図８，９は、参考例であって、図６，７に示す第３実施形態のカーテンウォールから、内側ガラス保持部材７を省き、ビジョン部１３のガラスを外側ガラス３のみとした場合を示している。先に述べたように、内側ガラス保持部材７の方立１との連結部の構造と、外側ガラス保持部材２の内側ガラス保持部材７との連結部の構造は共通しているため、本参考例のように外側ガラス保持部材２を方立１の室外側に取付けることができる。これにより、部材の兼用化によりコストを抑えながら、ビジョン部１３のガラスが二重構造でないカーテンウォールにも対応できる。
【００２１】
本発明は以上に述べた実施形態に限定されない。第３実施形態において、内側ガラスを開閉障子とすることもできる。外側ガラス及び内側ガラスの保持構造は、適宜変更することができる。方立、内側ガラス保持部材及び外側ガラス保持部材の断面形状、互いの連結部の構造は、適宜変更することができる。
【符号の説明】
【００２２】
１  方立
２  外側ガラス保持部材
３  外側ガラス
４  内側ガラス
５  内側ガラス保持部
６  開閉障子
７  内側ガラス保持部材
【図１】
2020063607.tif 000003
【図２】
2020063607.tif 000004
【図３】
2020063607.tif 000005
【図４】
2020063607.tif 000006
【図５】
2020063607.tif 000007
【図６】
2020063607.tif 000008
【図７】
2020063607.tif 000009
【図８】
2020063607.tif 000010
【図９】
2020063607.tif 000011